(57)【要約】【課題】  傘をどのような場所でも、簡単、確実に固定物に係止でき、その所有者を明確に示すことができるが、使用中など普段は従来と変わらない外観を得る。【解決手段】  従来の傘の手元と同様の形状をした手元（Ａ）は、傘本体（Ｂ）との連結部分付近にある回転軸（１）を中心にして、手元（Ａ）の先端付近まで届く棒状の開口部閉鎖棒（２）を内蔵している。手元（Ａ）の開口部に固定物を通し、その状態で開口部閉鎖棒（２）を開き、そのまま鍵（７）をロックすれば完全に傘を固定物に係止できる。また、傘を使用している時は、開口部閉鎖棒（２）を手元（Ａ）に収納し、その状態で鍵（７）をロックしておけば従来の傘の手元と何ら変わらない外観を得ることが出来る。【選択図】図２
0003132658.tif 000002
【実用新案登録請求の範囲】
【請求項１】
半円形の手元の開口部を開閉式にして、カラビナのような機構を持たせ、鍵によってその開閉を管理できるようにした傘の手元。
【考案の詳細な説明】
【考案の詳細な説明】
【技術分野】
【０００１】  本考案は、どのような場所であっても細い閉鎖状の固定物さえあれば、傘をそれに取り付け、傘自体の鍵をかけることによって、その傘の所有権をはっきり示すためのものであり、詳しくは手元に鍵の機能を取り付けた傘に関するものである。
【背景技術】
【０００２】  従来、傘の手元には、腕に吊り下げられるように半円形の形をしたものの他、傘を差して使う時に握り易い形状であるとか、デザインで他人の傘と違うことを表す程度の機能しかなかった。
【考案が解決しようとする課題】
【０００３】  従来の技術で述べたように、現在ほとんどの傘は使用する場合、目的地などに鍵付きの傘立てなどがある場合などを除き、使用者本人が傘を持って用件を済まさねばならないか、または、濡れた傘の屋内への持ち込みが制限される場合には、ビニールの袋で傘をくるむか、一時的にでも鍵のついていない傘置き場などに放置せざるを得ない状況が発生していた。
【０００４】  そのため、同じような他人の傘と間違われたり、高価な傘だと盗難の心配をしなければならず、日常生活では安価な傘を使うといったような、使い方が制限されるという問題点を有していた。
【０００５】  本考案は、従来の技術の有するこのような問題点に鑑みてなされたものであり、その目的とするところは、自分の気に入った傘を、間違いや盗難を気にせず、あらゆる場所に、自由にさして行けるようにしようとするものである。
【課題を解決するための手段】
【０００６】  上記目的を達成するために、本考案における傘の手元は、従来の半円形の手元の開口部分に、傘の本体と手元の連結部分付近を支点に、内側一方向にだけ動くようにした棒状の物を手元に内蔵させ、それが開いて手元の先端に接することによって、手元に開口部分がなくなるようにし、かつその棒状の物の開閉を管理できるように鍵の機能を持たせたものである。
【０００７】  開口部を閉鎖する棒状の物は、バネなどの作用によって、常に手元に閉鎖状態を作り出そうとしていることが、使用する上で便利である。
【０００８】  さらに、開閉を管理する鍵の取り付け位置は、手元の先で棒状の物との接点の部分か、傘本体と棒状の物の支点付近でもよい。
【０００９】  また、鍵はダイヤル式の数字を合わせる鍵のほか、南京錠、また、指紋や静脈などの生体認識システムなど、様々な鍵を取り付けてもよい。
【考案を実施するための最良の形態】
【００１０】  図１〜２において、傘の手元（Ａ）には、傘本体（Ｂ）との連結部分付近に支点となる、回転軸（１）を設け、その軸に、手元の先端付近まで届く棒状の開口部閉鎖棒（２）を取り付ける。その棒は自由に動くことが可能であるが、手元の先端のストッパー（３）によってそれ以上は開かないようになっている。【００１１】  さらに、図３〜４において、バネ（４）の作用によって、開口部閉鎖棒（２）は、上昇する底面（５）と支柱（６）によって押し上げられる圧力を常に受けており、鍵（７）のロックを解除して支柱（６）が自由に動けるようになって上昇すれば、押された開口部閉鎖棒（２）は回転軸（１）を中心にして手元の先端の方へ傾いていく。【００１２】  そうして、開いた開口部閉鎖棒（２）が手元（Ａ）の先端のストッパー（３）で止まり、その時点で鍵（７）をロックすれば完全な閉鎖状態が手元（Ａ）に出来上がる。【００１３】  逆に、ロックを解除して開口部閉鎖棒（２）を手元（Ａ）に収納した状態で、再度ロックすれば、従来の手元と同じ形状に戻る。【００１４】  また、手元（Ａ）と開口部閉鎖棒（２）の接する側面に小さな凹凸などを作り、支柱（６）に力が掛かっていない状態では、収納された開口部閉鎖棒（２）は手元（Ａ）の中で動きにくくなっている。
【考案の効果】
【００１５】  本考案は、上述のとおり構成されているので、次に記載する効果を奏する。
【００１６】  この請求項１の傘の手元においては、鍵のロックが解除された状態で、開いた開口部閉鎖棒を手すりなどの細く、閉鎖された状態の固定物に押し付けると、開口部閉鎖棒は一旦閉じて固定物を通過させ、完全に通過後、再度、開口部閉鎖棒は開き、手元に閉鎖状態を出現させ、その状態で鍵をロックさせることによって、傘を固定物に係止させ、所有者の意思以外の移動を防止することができる。
【００１７】  さらに、鍵のロックを解除し、開口部閉鎖棒を手元の収納させ、その状態で鍵をロックすると、従来の手元と同じ形状になり、違和感なく使用できる。
【図面の簡単な説明】
【図１】  開口部閉鎖棒が手元に収納された状態の平面図である。
【図２】  開口部閉鎖棒が開いて手元の先端にある状態の平面図である。
【図３】  開口部閉鎖棒が手元に収納された状態のバネと支柱の状態を示した平面図である。
【図４】  開口部閉鎖棒が開いて手元の先端にある状態のバネと支柱の状態を示した平面図である。
【符号の説明】
Ａ  手元
Ｂ  傘本体
１  回転軸
２  開口部閉鎖棒
３  ストッパー
４  バネ
５  底面
６  支柱
７  鍵
【図１】
0003132658.tif 000003
【図２】
0003132658.tif 000004
【図３】
0003132658.tif 000005
【図４】
0003132658.tif 000006
【手続補正書】
【提出日】平成19年1月9日(2007.1.9)
【手続補正１】
【補正対象書類名】実用新案登録請求の範囲
【補正対象項目名】全文
【補正方法】変更
【補正の内容】
【実用新案登録請求の範囲】
【請求項１】
傘の手元（Ａ）には、その形状によって開口部が存在するが、その開口部に対して、開口部閉鎖棒（２）を手元（Ａ）に内蔵し、その一端が手元（Ａ）に回転軸（１）で軸支され、ストッパー（３）まで回動することによって、手元（Ａ）の開口部を開閉自在にならしめ、さらに、鍵（７）によって、その開閉の管理ができるようにした傘の手元。
【手続補正書】
【提出日】平成19年3月22日(2007.3.22)
【手続補正１】
【補正対象書類名】実用新案登録請求の範囲
【補正対象項目名】全文
【補正方法】変更
【補正の内容】
【実用新案登録請求の範囲】
【請求項１】
Ｊ字型の形状を有し、半円形の開口部を有する傘の手元（Ａ）において、その開口部に対し、開口部閉鎖棒（２）を手元（Ａ）に内蔵し、その一端が手元（Ａ）に回転軸（１）で軸支され、手元（Ａ）の半円形の開口部の先端の内部に設けられたストッパー（３）まで回動することによって、開口部を開閉自在にならしめ、さらに、鍵（７）によって、その開閉の管理ができるようにした傘の手元。